(57)【特許請求の範囲】
【請求項１】
自転車の後輪軸に孔を挿通し、自転車フレームに係止片を介して取り付けられる取付体と、該取付体に枢着し垂直方向の立設位置から水平方向の解放位置まで回動する回動一本脚と、該回動一本脚に枢着し所望の範囲で回動するロック片と、該ロック片と取付体とに張設する弾性体から構成された自転車用スタンドにおいて、前記取付体が自転車フレームの左右両側に取り付けられるべく係止片及び弾性体の連結部が取付体の表裏両面に形成されていることを特徴とする自転車用スタンド。
【請求項２】
自転車の後輪軸の左右両側より孔を挿通し、自転車フレームに係止片を介して取り付けられる取付体と、該取付体に両端を枢着し垂直方向の立設位置から水平方向の解放位置まで回動する回動両脚と、該回動両脚に枢着し所望の範囲で回動するロック片と該ロック片と取付体とに張設する弾性体から構成された自転車用スタンドにおいて、前記回動両脚の左右両側にロック片の枢着部が形成されていることを特徴とする自転車用スタンド。
【発明の詳細な説明】
【技術分野】本発明は、自転車を駐輪する際に自転車を立設状態とする自転車用スタンドに関する。
【技術の背景】
【０００１】従来、自転車を立設状態で駐輪する場合は、後輪軸に取り付けられた自転車用スタンドを使用して駐輪している。
【０００２】上記自転車用スタンドは、後輪軸に孔を挿通し係止爪で自転車フレームに固定状態で取り付ける板状の取付体と、該取付体に形成された溝に沿って垂直方向の立設位置から水平方向の解放位置まで回動すべく取付体に枢着した棒状の回動一本脚と、該回動一本脚に一端側を枢着し所望の範囲で回動するロック片と、該ロック片に一端側を連結し他端側を取付体に連結することで回動一本脚を立設位置及び解放位置で停止維持する張設バネから構成されている。
【０００３】上記取付体は自転車の後輪軸左側（自転車の進行方向に向いて）に取り付けられ、左側より右脚でロック片を蹴り上げて回動一本脚の停止維持を解除した後、右脚で回動一本脚を蹴り上げて水平方向の解除位置へ移動することで、自転車に乗ることができる。また、再度駐輪する場合は、右脚で回動一本脚を垂直方向の立設位置に蹴り下げた後、右脚でロック片を蹴り下げ回動一本脚の移動を停止維持することで、自転車を斜めに立てた状態で駐輪する。
【０００４】また、他の自転車スタンドとしては、後輪軸の左右両側で孔を挿通し自転車フレームに係止片を介して取り付けられる取付体と、該取付体に両端側を枢着し垂直方向の立設位置から水平方向の解放位置まで後輪の外周を回動する回動両脚と、該回動両脚に枢着し所望の範囲で回動するロック片と、該ロック片に一端側を連結し他端側を取付体に連結することで回動両脚を立設位置及び解放位置で停止維持する張設バネから構成されている。
【０００５】上記ロック片は自転車の左側に取り付けられ左側より右脚でロック片を蹴り上げ回動両脚の停止維持を解除した後、右脚で回動両脚を蹴り上げて水平方向の解除位置へ移動することで、自転車に乗ることができる。また、再度駐輪する場合は、右脚で回動体を垂直方向の立設位置に蹴り下げるとともに自転車を後方側に引っ張ることで後輪を浮かした状態で自転車を立設状態で駐輪する。
【発明が解決しようとする課題】
【０００６】しかしながら、上記従来の自転車用スタンドは、後輪軸の左側に取り付けられているために、左利きの人、又は利き脚が左脚の人にとって慣れるまでに時間が係るとともに違和感を覚えスムーズに利用できない。
【０００７】また、ロック片は張設バネで張設されているために、ロック片を回動する際る際、利き脚が左脚だとロック片を逆脚でかけるために、スムーズにロック片がかけられない欠点があった。
【０００８】そこで、本発明は左利きの人や利き脚が左脚である人にとって容易に自転車を駐輪及び自転車に乗ることのできる自転車用スタンドを提供することを課題とする。
【課題を解決するための手段】
【０００９】上記課題を解決する本発明の解決手段は、請求項１に記載のように、自転車の後輪軸に孔を挿通し、自転車フレームに係止片を介して取り付けられる取付体と、該取付体に枢着し垂直方向の立設位置から水平方向の解放位置まで回動する回動一本脚と、該回動一本脚に枢着し所望の範囲で回動するロック片と、該ロック片と取付体とに張設する弾性体から構成された自転車用スタンドにおいて、前記取付体が自転車フレームの左右両側に取り付けられるべく係止片及び弾性体の連結部が取付体の表裏両面に形成されていることを特徴とする。
【００１０】また、他の解決手段は、請求項２に記載のように、自転車の後輪軸の左右両側より孔を挿通し、自転車フレームに係止片を介して取り付けられる取付体と、該取付体に両側を枢着し垂直方向の立設位置から水平方向の解放位置まで回動する回動両脚と、該回動両脚に枢着し所望の範囲で回動するロック片と、該ロック片と取付体とに張設する弾性体から構成された自転車用スタンドにおいて、前記回動両脚の左右両側にロック片の枢着部が形成されていることを特徴とする。
【発明の作用及び効果】
【００１１】次に、本発明の自転車用スタンドの作用及び効果を記載する。
【００１２】本発明の請求項１に記載の自転車用スタンドは、取付体に形成された孔を自転車の後輪軸に挿通し係止片で自転車フレームに取り付ける。
【００１３】この際、係止片が取付体の表裏両面に形成されているために、後輪の左右両側どちらでも取り付け可能であり、自転車に乗車する人の利き脚、左利きの人に応じて自在に設置できる。
【００１４】次に、取付体に回動一本脚を枢着し、該回動一本脚に枢着したロック片と取付体とに弾性体を張設する。これにより、回動一本脚を垂直方向の立設位置及び水平方向の解放位置で停止維持することができる。
【００１５】この際、弾性体の連結部が取付体の表裏両面に形成されているために、取付体の取り付ける側に応じて弾性体を後輪軸の左右両側に取り付けできる。
【００１６】上記自転車スタンドを用いて自転車を駐輪する際は、自転車を降りた後、回動一本脚を脚で蹴り下げて水平方向の解放位置より垂直方向の立設位置まで回動し、その後ロック片を蹴り下げて回動し回動一本脚の戻り移動を阻止し、安定した立設状態で自転車を駐輪する。
【００１７】また、自転車に乗車する際は、ロック片を蹴り上げ回動一本脚の移動阻止を解除し、その後回動一本脚を蹴り上げて立設位置より解放位置まで回動し、自転車に乗車する。
【００１８】このように、本発明の自転車用スタンドは、自転車に乗車する人の利き脚に応じて後輪軸の左右どちら側にも取り付けでき、安全な自転車の駐輪、及び走行を可能とする。特に、急な場合の対応時に利き脚で対応できるためにスムーズな対応が可能となる。
【００１９】次に、本発明の請求項２に記載の自転車用スタンドは、自転車の後輪軸の左右両側より孔を挿通し自転車フレームに係止片を係止して取付体を取り付け、該取付体に両端側を枢着し垂直方向の立設位置から水平方向の解放位置まで後輪の外周を回動する回動両脚を取り付け、その後該回動両脚にロック片を枢着し、弾性体をロック片と取付体とに張設する。
【００２０】この際、回動両脚の左右両側にロック片の枢着部が形成されているために、回動両脚のどちら側にも取り付けすることができる。
【００２１】自転車を駐輪する際は、回動両脚を蹴り下げて解放位置より立設位置まで後輪の外周に沿って回動し、その後ロック片を回動して回動両脚の戻り移動を阻止し安定した状態で自転車を駐輪する。
【００２２】自転車に乗る際は、ロック片を蹴り上げて回動両脚の停止維持を解除した後回動両脚を蹴り上げて立設位置より解放位置に後輪の外周に沿って回動し自転車に乗る。
【００２３】このように、本発明の自転車用スタンドは、自転車に乗る人の状況に応じて後輪の左右側の適切な方向にロック片を取り付けできるので、利き脚、左利きに対応して設置し安全な乗車、駐輪を可能とする。
【００２４】また、利き脚が相違する人であっても、ロック片の取り付け方向を変更することで安心して乗車できる。
【発明を実施するための最良の実施の形態】
【００２５】本発明の自転車用スタンドについて図面を用いて説明する。
【図面の簡単な説明】
【図１】本発明の自転車用スタンドの第１実施例を示す正面説明図
【図２】図１の自転車用スタンドの取付体を示す正面説明図
【図３】図１の自転車用スタンドのロック片を示す正面説明図
【図４】図１の自転車スタンドの駐輪時の使用状態を示す正面説明図
【図５】図１の自転車用スタンドの乗車時の使用状態を示す正面説明図
【図６】本発明の自転車用スタンドの第２実施例を示す正面説明図
【図７】図６の自転車用スタンドの回動両脚を示す側面説明図
【００２６】（第１実施例）
本発明の自転車用スタンド１は、自転車の後輪軸２２に取り付ける板状の取付体２と、該取付体２に枢着し垂直方向の立設位置と水平方向の解放位置との間で回動する棒状の回動一本脚３と、該回動一本脚３に回動自在に枢着したロック片５と、該ロック片５に一端側を連結し他端側を取付体２に連結することで張設した弾性体としてのバネ４から構成されいる。【００２７】前記取付体２は、板状の上部縁側に後輪軸２２に挿通する孔６が穿孔され、上側縁に自転車フレーム２４（後輪軸２２より横方向に延びる横フレームと後輪軸２２より斜め方向に延びる斜めフレーム）に沿って取付体２を固定する係止片７か並行に形成され孔６の近傍にバネ４の一端側を連結する鈎状の連結部８が形成され、板状の下部側近傍に回動一本脚３の回動を垂直方向の立設位置と水平方向の解放位置の範囲以上の回動を阻止する阻止片９（垂直阻止片９ａ、水平阻止片９ｂ）が形成され、板状の下方側に回動一本脚３を枢着する孔１０が形成されている。【００２８】尚、上記孔６は取付体２の裏面側からも後輪軸２２に挿通可能で、係止片７及び阻止片９は取付体２の裏面にも同様に形成され、孔１０は裏面からも回動一本脚３を枢着できる。【００２９】このため取付体２は表裏両面を利用して後輪軸２２の左右どちら側にも挿通し自転車フレーム２４に係止片７を介して固定することができる。【００３０】前記回動一本脚３は一端側を取付体２の孔１０にネジを介して回動自在に枢着すべく取り付けられ、他端側は立設用のスタンド台１１が取り付けられている。【００３１】前記ロック片５は、その上部側縁に回動一本脚３の回動を垂直方向の立設位置で取付体２の垂直阻止片９ａに係止する係止爪１２が形成され、該係止爪１２が垂直阻止片９ａに係止しバネ４によりロック片５が更に回動する方向に引っ張られることで回動一本脚３を垂直方向の立設位置で維持し、また、該ロック片５を逆方向に回動すべく蹴り上げることで、回動一本脚３の立設位置での維持を解除し、スムーズに回動一本脚３を水平方向に回動することができる。【００３２】本発明の自転車用スタンド１は上記のように構成され、次に、該自転車用スタンド１を使用する場合について説明する。【００３３】先ず、自分の利き脚に応じて取付体２を自転車２０の後輪軸２２に孔６を挿通して取り付ける。【００３４】この際、利き脚が右脚の場合は、後輪軸２２の左側に取付体２の孔６を挿通し、係止片７を左側の自転車フレーム２４に係止することで取り付け、利き脚が左脚の場合は、後輪軸２２の右側に取付体２の孔６を挿通し、係止片７を右側の自転車フレーム２４に係止することで取り付ける。【００３５】そして、取付体２の孔１０に回動一本脚３の一端側を回動自在に枢着した後、該回動一本脚３にロック片５の一端側を枢着し、取付体２の連結部８とロック片５の連結部１３とをバネ４で連結することでロック片５を張設し、ロック片５が回動する範囲の両端部でそれぞれロック片５を引っ張ることとなり、垂直方向では係止爪１２が垂直阻止片９ａで係止して回動一本脚３の回動を阻止し、水平方向では回動一本脚３の水平状態を維持することとなる。【００３６】次に、自転車２０に乗車する場合は、利き脚を用いてロック片５を垂直方向より水平方向に蹴り上げた後、回動一本脚３を垂直方向の立設位置より水平方向の解放位置に回動することで、自転車２に乗車する。【００３７】自転車２０を駐輪する場合は、利き脚で回動一本脚３を駆り下げ水平方向の解放位置より垂直方向の立設位置まで回動した後、ロック片５を蹴り下げることで回動一本脚３の立設位置を停止維持して、安定した状態で駐輪することができる。【００３８】このように、本発明の自転車用スタンド１は、自転車２０に乗車する人の利き脚に応じて自在な方向に取り付けすることができ、取り扱いスムーズで自転車の駐輪及び乗車が可能である。【００３９】また、取付体２が表裏両面を使用できるので、少ない部品点数で構成でき無駄なコストを必要としない。【００４０】（第２実施例）
本発明の自転車用スタンド１は、自転車２０の後輪軸２２の両側に孔６を介して取り付けられる取付体２と、該取付体２の下方側に穿孔された孔１０に両端側をそれぞれ枢着し後輪２５の外周を垂直方向の立設位置より水平方向の解放位置間で回動する略Ｕ字状の回動両脚３と、該回動両脚３の両側に穿孔されロック片５を枢着する孔１１と、該ロック片５に形成された連結部１３と前記取付体２に形成された鈎状の連結部８とに両端側を取り付けることで張設するバネ４から構成されている。【００４１】前記ロック片５は、利き脚に応じて回動両脚３の左右方向どちらにも取り付け可能である。【００４２】前記回動両脚３は、略Ｕ字の底部分にスタンド代３０が形成され、立設位置で自転車２０の後輪２５を浮かした状態で駐輪できる。【００４３】本発明の自転車用スタンド１は、上記のように構成され、次に該自転車用スタンド１を使用する場合について説明する。【００４４】自転車２０に乗車する場合は、先ずロック片５を垂直方向より水平方向に蹴り上げ回動両脚３の停止維持を解除し、その後回動両脚３を同様に垂直方向より水平方向に蹴り上げる。これにより、自転車２０に乗車することができる。【００４５】自転車２０を駐輪する場合は、回動両脚３を蹴り上げ水平方向より垂直方向に回動するとともに自転車を後方に引っ張ることで、後輪２５の外周に沿ってスムーズに回動両脚３を回動する。【００４６】次に、ロック片５を蹴り下げて垂直方向に回動することで回動両脚３を立設位置で停止維持し、安定した状態で自転車２０を駐輪することができる。【００４７】この際、ロック片５の取り付け位置は、利き脚に応じて回動両脚３の左右どちら側にも取り付けすることができ、スムーズな自転車２０の駐輪及び乗車を可能とする。【００４８】このように、本発明の自転車用スタンド１は、自転車２０を安全に駐輪することができ、その取り扱いをスムーズにすることで、自転車２０のトラブルを解消し、自転車２０による交通安全にも対応することができる。
【符号の説明】
【００４９】１−自転車用スタンド、２−取付体、３−回動一本脚（回動両脚）、５−ロック片、後輪軸２２
【要約】
【課題】本発明は自転車に乗る人の利き脚に応じて自転車の後輪の左右いずれか側に取り付けることができ、安全に自転車に乗車及び駐輪することができる自転車用スタンドを提供することを課題とする。
【解決手段】自転車フレームに取り付けられる取付体と、取付体に枢着し立設位置から解放位置まで回動する回動一本脚と、回動一本脚に枢着したロック片と、ロック片と取付体とに張設した弾性体から構成された自転車用スタンドにおいて、取付体の表裏両面に係止片及び連結部が形成されていることである。
【選択図】図１【図１】
0004807685.tif 000002
【図２】
0004807685.tif 000003
【図３】
0004807685.tif 000004
【図４】
0004807685.tif 000005
【図５】
0004807685.tif 000006
【図６】
0004807685.tif 000007
【図７】
0004807685.tif 000008